(57)【特許請求の範囲】
【請求項１】
引火性又は可燃性の液体を貯蔵する内部浮き蓋付きタンクの内部浮き蓋の上面に、不活性ガス又は泡消火薬剤水溶液を放出して防火・消火する放出口を設け、また前記内部浮き蓋付きタンクの側板に不活性ガス又は泡消火薬剤水溶液を注入する注入口を設け、かつ、前記放出口と注入口とを可撓性管で接続してなる引火性又は可燃性液体貯蔵タンクの防火・消火設備において、
前記放出口が金属製の両端面が開口した短管で構成され、その短管の外周壁が、内部浮き蓋の穿孔内壁面に完全溶け込み溶接されて一体化され、
前記放出口の直上部に上方に凸なパラボリック状、円錐状、角錐状、或いは浅い有蓋円筒状の外周縁近くに複数個の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられることによって、前記内部浮き蓋が傾斜しタンク内に沈下した際に前記放出口から放出された不活性ガス又は泡消火薬剤水溶液が貯蔵された引火性又は可燃性液体を吹き上げることなくタンク液面上に浮上し、タンク液面に沿ってタンク側板内面全周に向けて展開して防火・消火し、
また前記内部浮き蓋が破損しその破損部から引火性又は可燃性液体が内部浮き蓋上に漏出した際にも、放出口から放出された不活性ガス又は泡消火薬剤水溶液が、内部浮き蓋の表面に沿ってタンク側板内面全周に向けて展開して防火・消火してなることを特徴とする引火性又は可燃性液体貯蔵タンクの防火・消火設備。
【請求項２】
引火性又は可燃性の液体を貯蔵する浮き屋根式タンクの浮き屋根の上面に、不活性ガス又は泡消火薬剤水溶液を放出して防火・消火する放出口を設け、また前記浮き屋根式タンクの側板に不活性ガス又は泡消火薬剤水溶液を注入する注入口を設け、かつ、前記放出口と注入口とを可撓管で接続してなる引火性又は可燃性液体貯蔵タンクの防火・消火設備において、
前記放出口が金属製の両端面が開口した短管で構成され、その短管の外周壁が、内部浮き蓋の穿孔内壁面に完全溶け込み溶接されて一体化され、
前記放出口の直上部に上方に凸なパラボリック状、円錐状、角錐状、或いは浅い有蓋円筒状の外周縁近くに複数個の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられることによって、前記浮き屋根が傾斜しタンク内に沈下した際に前記放出口から放出された不活性ガス又は泡消火薬剤水溶液が、貯蔵された引火性又は可燃性液体を吹き上げることなくタンク液面上に浮上し、タンク液面に沿ってタンク側板内面全周に向けて展開して防火・消火し、
また前記浮き屋根が破損しその破損部から引火性又は可燃性液体が浮き屋根上に漏出した際にも、放出口から放出された不活性ガス又は泡消火薬剤水溶液が、浮き屋根の表面に沿ってタンク側板内面全周に向けて展開して防火・消火してなることを特徴とする引火性又は可燃性液体貯蔵タンクの防火・消火設備。
【請求項３】
前記注入口が、タンク側板のマンホールの蓋に設けられてなることを特徴とする請求項１又は２に記載の引火性又は可燃性液体貯蔵タンクの防火・消火設備。
【請求項４】
前記注入口が開閉弁を介して不活性ガス発生機構に接続されてなり、該開閉弁は常時には閉じられ、予め定められた震度以上の地震動を検知した際には即時に自動的に開かれて不活性ガスを注入口に供給するよう構成されてなることを特徴とする請求項１〜３のいずれか１項に記載の引火性又は可燃性液体貯蔵タンクの防火・消火設備。
【請求項５】
請求項１〜４のいずれか１項に記載の引火性又は可燃性液体貯蔵タンクの防火・消火設備を用いて行われる引火性又は可燃性液体貯蔵タンクの防火・消火方法であって、
所定震度以上の地震動を検知した際、即時に自動的に不活性ガスを注入口に供給し、前記可撓管、放出口、及び吹上防止・拡散板を介して内部浮き蓋又は浮き屋根上に、また内部浮き蓋又は浮き屋根が貯蔵された引火性又は可燃性液体内に沈下したときには、該引火性又は可燃性液体の液面上に不活性ガスを放出して引火性又は可燃性液体への着火を予防してなることを特徴とする引火性又は可燃性液体貯蔵タンクの防火・消火方法。
【請求項６】
請求項１〜４のいずれか１項に記載の引火性又は可燃性液体貯蔵タンクの防火・消火設備を用いて行われる引火性又は可燃性液体貯蔵タンクの防火・消火方法であって、
内部浮き蓋又は浮き屋根の破損、沈下によって火災が発生し、注入口に自動的に供給される不活性ガスでの鎮火が困難になったとき、或いはこれらシステムが作動不良になったとき、前記注入口に化学消防車から泡消火薬剤水溶液を注入し、可撓管、放出口、及び吹上防止・拡散板を介して泡消火薬剤水溶液を炎上する引火性又は可燃性液体の液面上に放出して空気との接触を絶って消火してなることを特徴とする引火性又は可燃性液体貯蔵タンクの防火・消火方法。
【請求項７】
請求項１〜４のいずれか１項に記載の引火性又は可燃性液体貯蔵タンクの防火・消火設備を用いて行われる引火性又は可燃性液体貯蔵タンクの防火・消火方法であって、
内部浮き蓋又は浮き屋根の引火性又は可燃性液体内への沈下によって火災が発生し、前記注入口から注入された不活性ガス又は泡消火薬剤水溶液が放出口から引火性又は可燃性液体内に放出された際、前記吹上防止・拡散板によって、前記注入された不活性ガス又は泡消火薬剤水溶液の放出口からの吹き出し圧力が四方に拡散され、これによって引火性又は可燃性液体のタンク外への飛散が防止され、周辺への延焼防止、人的被害が抑止されてなることを特徴とする引火性又は可燃性液体貯蔵タンクの防火・消火方法。
【発明の詳細な説明】
【技術分野】
【０００１】
本発明は、石油等の引火性又は可燃性液体を貯蔵する内部浮き蓋付きタンク、又は浮き屋根式タンクにおける防火・消火設備及び防火・消火方法に関する。
【背景技術】
【０００２】
地震、台風などの自然災害によって石油等の引火性又は可燃性液体を貯蔵する内部浮き蓋付きタンク、又は浮き屋根式タンクの内部浮き蓋、又は浮き屋根が損傷し又は沈下して引き起こされる火災への対応が大きな課題となっており、これまでにもこの防火・消火対策については数多くの発明が公示されている。
しかしその発明の多くが、タンク側板内面に沿って上下する内部浮き蓋や浮き屋根上、又は側板上端部に、泡消火砲、泡チャンバー、配管等の設備を設置したもの（例えば特許文献１）であり、大規模な地震によって生じる液面の揺動が前記内部浮き蓋や浮き屋根にうねりや波打ち現象をもたらすため、前記内部浮き蓋や浮き屋根上の設備が破損、又は変形して消火機能を失うおそれがある。
これに対して特許文献２の発明においては、引火及び可燃性液体貯蔵タンクの下端内部に連通した既設配管に発泡した泡消火薬剤水溶液注入のための開閉弁を取付け、前記注入管から発泡した泡消火薬剤水溶液を引火及び可燃性液体の液面下から注入することにより、引火及び可燃性液体表面に泡を浮上展開してシール層を形成して消火する消火方法が開示されている。
しかしこの方法でも、沈下した内部浮き蓋や浮き屋根より下方になった既設配管から注入された発泡した泡消火薬剤水溶液は、沈下した内部浮き蓋や浮き屋根によって遮られ液面上に達しないという問題がある。
【０００３】
本発明者にあっては、上記内部浮き蓋付きタンク、又は浮き屋根式タンクの消火設備や消火方法の問題点を解決しようと、先に特許文献３によって
「引火性及び可燃性液体を貯蔵するための内部浮き蓋付固定屋根タンク及び浮き屋根及び浮き屋根に、不活性ガス又は発泡した泡消火薬剤水溶液（浮き屋根にあっては発泡した泡消火薬剤水溶液のみ）を放出するための放出口を備え、前記タンクは、側板のマンホールに不活性ガス又は発泡した泡消火薬剤水溶液（浮き屋根にあっては発泡した泡消火薬剤水溶液のみ）を注入するための注入口を備え、前記放出口と注入口は、保形性の可撓管で接続した消火・防火設備、及び上記防火設備の注入口から可撓管、放出口を介して内部浮き蓋、又は浮き屋根上に露出した引火性及び可燃性液体上面に不活性ガス又は発泡した泡消火薬剤水溶液を供給する内部浮き蓋付固定屋根タンク及び浮き屋根式タンクの消火及び防火設備、消火及び防火方法」を開示し、前記浮き蓋又は浮き屋根上には不活性ガス又は泡消火薬剤水溶液の放出口のみを配設することで、上記内部浮き蓋、又は浮き屋根の簡素化と軽量化を図り、また浮き蓋、浮き屋根の沈下によっても不活性ガスや泡消火薬剤水溶液が引火性又は可燃性液体の液面上に浮上して拡散し、前記引火性又は可燃性液体の液面を確実に覆い引火性又は可燃性液体貯蔵タンクの防火・消火を可能とした。
【先行技術文献】
【特許文献】
【０００４】
【特許文献１】特開２０００−１４５１４２号公報
【特許文献２】特許第５５２７６６０号公報
【特許文献３】特開２０１２−１３０６５１号公報
【発明の概要】
【発明が解決しようとする課題】
【０００５】
本発明は上記特許文献３の発明において、その明細書の段落「００４１」に「タンクが火災に到らなくとも、地震や落雷でタンク内部に異常が生じた場合、例えば、浮き蓋が損傷、した場合や、浮き蓋が沈下した場合、浮き蓋のチューブシールが脱落した場合には、気層部が爆発限界内の雰囲気となるので、防爆、防火措置を講じる必要がある」として「注入口の取付フランジに注入ホースを接続するとともに、液体ガスを積載した圧力容器車両からの液体不活性ガスを減圧器でガス化して注入する。」と記載され、また同明細書の段落「００４７」に「タンク内部に異常が生じた場合、例えば、浮き蓋が損傷した場合や、浮き蓋が沈下した場合、浮き蓋のチューブシールが脱落した場合には、防火措置を講じる必要がある」として「注入口の取付フランジに注入ホースを接続するとともに、原液搬送車からの泡消火薬剤に消火栓からの水を化学消防車で混合するとともに、発泡器で発泡させた後注入する」と記載されていることから、この発明においては、異常発生後いかに早く注入口の取付フランジに注入ホースを接続し前記各消防車両から不活性ガス又は泡消火薬剤水溶液を注入するかが鍵となること、
また、注入口から加圧された不活性ガスや泡消火薬剤水溶液を注入すると、沈下した内部浮き蓋や浮き屋根の上面に開口した放出口から前記不活性ガスや泡消火薬剤水溶液が勢いよく放出されるので放出口周辺の引火性又は可燃性液体はその勢いで吹き上げられ、最悪の場合にはタンク外に吹き出してしまい、周辺への延焼や、消火に当たる人への人的被害のおそれも出てくること、
さらには、タンク直径Ａと放出口から放出される発泡した泡消火薬剤水溶液が拡がる円のの直径ａとの関連において放出の口数が定まることとなっており、この放出口の数が増えることによって可撓管の本数も増え、それぞれへの不活性ガスや泡消火薬剤水溶液に均等配分も容易でなくなること、
に鑑みてなされたものであり、比較的少ない数の放出口から広い範囲に不活性ガス又は泡消火薬剤水溶液を放出して拡散させるとともに、注入口に加圧されて注入された不活性ガス又は泡消火薬剤水溶液によって引火性又は可燃性液体のタンク外への吹き出しを抑制し、さらに地震や落雷でタンク内部に異常が生じた場合に迅速に不活性ガスを注入して防爆、防火処置が行える引火性又は可燃性液体貯蔵タンクの防火・消火設備、及び防火・消火方法を提供しようとするものである。
【課題を解決するための手段】
【０００６】
本発明者は上記課題を下記の手段により解決した。
（１）引火性又は可燃性の液体を貯蔵する内部浮き蓋付きタンクの内部浮き蓋の上面に、不活性ガス又は泡消火薬剤水溶液を放出して防火・消火する放出口を設け、また前記内部浮き蓋付きタンクの側板に不活性ガス又は泡消火薬剤水溶液を注入する注入口を設け、かつ、前記放出口と注入口とを可撓性管で接続してなる引火性又は可燃性液体貯蔵タンクの防火・消火設備において、
前記放出口が金属製の両端面が開口した短管で構成され、その短管の外周壁が、内部浮き蓋の穿孔内壁面に完全溶け込み溶接されて一体化され、
前記放出口の直上部に上方に凸なパラボリック状、円錐状、角錐状、或いは浅い有蓋円筒状の外周縁近くに複数個の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられることによって、前記内部浮き蓋が傾斜しタンク内に沈下した際に前記放出口から放出された不活性ガス又は泡消火薬剤水溶液が貯蔵された引火性又は可燃性液体を吹き上げることなくタンク液面上に浮上し、タンク液面に沿ってタンク側板内面全周に向けて展開して防火・消火し、
また前記内部浮き蓋が破損しその破損部から引火性又は可燃性液体が内部浮き蓋上に漏出した際にも、放出口から放出された不活性ガス又は泡消火薬剤水溶液が、内部浮き蓋の表面に沿ってタンク側板内面全周に向けて展開して防火・消火してなることを特徴とする引火性又は可燃性液体貯蔵タンクの防火・消火設備。
【０００７】
（２）引火性又は可燃性の液体を貯蔵する浮き屋根式タンクの浮き屋根の上面に、不活性ガス又は泡消火薬剤水溶液を放出して防火・消火する放出口を設け、また前記浮き屋根式タンクの側板に不活性ガス又は泡消火薬剤水溶液を注入する注入口を設け、かつ、前記放出口と注入口とを可撓管で接続してなる引火性又は可燃性液体貯蔵タンクの防火・消火設備において、
前記放出口が金属製の両端面が開口した短管で構成され、その短管の外周壁が、内部浮き蓋の穿孔内壁面に完全溶け込み溶接されて一体化され、
前記放出口の直上部に上方に凸なパラボリック状、円錐状、角錐状、或いは浅い有蓋円筒状の外周縁近くに複数個の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられることによって、前記浮き屋根が傾斜しタンク内に沈下した際に前記放出口から放出された不活性ガス又は泡消火薬剤水溶液が、貯蔵された引火性又は可燃性液体を吹き上げることなくタンク液面上に浮上し、タンク液面に沿ってタンク側板内面全周に向けて展開して防火・消火し、
また前記浮き屋根が破損しその破損部から引火性又は可燃性液体が浮き屋根上に漏出した際にも、放出口から放出された不活性ガス又は泡消火薬剤水溶液が、浮き屋根の表面に沿ってタンク側板内面全周に向けて展開して防火・消火してなることを特徴とする引火性又は可燃性液体貯蔵タンクの防火・消火設備。
【０００８】
（３）前記注入口がタンク側板のマンホールの蓋に設けられてなることを特徴とする（１）又は（２）に記載の引火性又は可燃性液体貯蔵タンクの防火・消火設備。
（４）前記注入口が開閉弁を介して不活性ガス発生機構に接続されてなり、該開閉弁は常時には閉じられ、予め定められた震度以上の地震動を検知した際には即時に自動的に開かれて不活性ガスを注入口に供給するよう構成されてなることを特徴とする（１）〜（３）のいずれか１項に記載の引火性又は可燃性液体貯蔵タンクの防火・消火設備。
【０００９】
（５）前記（１）〜（４）のいずれか１項に記載の引火性又は可燃性液体貯蔵タンクの防火・消火設備を用いて行われる引火性又は可燃性液体貯蔵タンクの防火・消火方法であって、
所定震度以上の地震動を検知した際、即時に自動的に不活性ガスを注入口に供給し、前記可撓管、放出口、及び吹上防止・拡散板を介して内部浮き蓋又は浮き屋根上に、また内部浮き蓋又は浮き屋根が貯蔵された引火性又は可燃性液体内に沈下したときには、該引火性又は可燃性液体の液面上に不活性ガスを放出して引火性又は可燃性液体への着火を予防してなることを特徴とする引火性又は可燃性液体貯蔵タンクの防火・消火方法。
（６）前記（１）〜（４）のいずれか１項に記載の引火性又は可燃性液体貯蔵タンクの防火・消火設備を用いて行われる引火性又は可燃性液体貯蔵タンクの防火・消火方法であって、
内部浮き蓋又は浮き屋根の破損、沈下によって火災が発生し、注入口に自動的に供給される不活性ガスでの鎮火が困難になったとき、或いはこれらのシステムが作動不良になったとき、前記注入口に化学消防車から泡消火薬剤水溶液を注入し、可撓管、放出口、及び吹上防止・拡散板を介して泡消火薬剤水溶液を炎上する引火性又は可燃性液体の液面上に放出して空気との接触を絶って消火してなることを特徴とする引火性又は可燃性液体貯蔵タンクの防火・消火方法。
（７）前記（１）〜（４）のいずれか１項に記載の引火性又は可燃性液体貯蔵タンクの防火・消火設備を用いて行われる引火性又は可燃性液体貯蔵タンクの防火・消火方法であって、
内部浮き蓋又は浮き屋根の引火性又は可燃性液体内への沈下によって火災が発生し、前記注入口から注入された不活性ガス又は泡消火薬剤水溶液が放出口から引火性又は可燃性液体内に放出された際、前記吹上防止・拡散板によって、前記注入された不活性ガス又は泡消火薬剤水溶液の放出口からの吹き出し圧力が四方に拡散され、これによって引火性又は可燃性液体のタンク外への飛散が防止され、周辺への延焼防止、人的被害が抑止されてなることを特徴とする引火性又は可燃性液体貯蔵タンクの防火・消火方法。
【発明の効果】
【００１０】
本発明の引火性又は可燃性の液体貯蔵タンクの防火・消火設備、及び防火・消火方法によって下記の効果が発揮できる。
〈１〉引火性又は可燃性の液体を貯蔵する内部浮き蓋付きタンクの内部浮き蓋の上面に、前記浮き蓋上に漏出した引火性又は可燃性の液体に向けて不活性ガス又は泡消火薬剤水溶液を放出して防火・消火する放出口を設け、また前記内部浮き蓋付きタンクの側板に不活性ガス又は泡消火薬剤水溶液を注入する注入口を設け、かつ、前記放出口と注入口とを可撓性管で接続してなる引火性又は可燃性液体貯蔵タンクの防火・消火設備において、
前記放出口が金属製の両端面が開口した短管で構成され、その短管の外周壁が、内部浮き蓋の穿孔内壁面に完全溶け込み溶接されて一体化され、
前記放出口の直上部に上方に凸なパラボリック状、円錐状、角錐状、或いは浅い有蓋円筒状の外周縁近くに複数個の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられることによって、前記内部浮き蓋が傾斜しタンク内に沈下した際に前記放出口から放出された不活性ガス又は泡消火薬剤水溶液が貯蔵された引火性又は可燃性液体を吹き上げることなくタンク液面上に浮上し、タンク液面に沿ってタンク側板内面全周に向けて展開し、また前記内部浮き蓋が破損しその破損部から引火性又は可燃性液体が内部浮き蓋上に漏出した際にも、放出口から放出された不活性ガス又は泡消火薬剤水溶液が、内部浮き蓋の表面に沿ってタンク側板内面全周に向けて展開して防火・消火してなるので、
不活性ガス又は泡消火薬剤水溶液を、内部浮き蓋上全面に、従来より少ない数の放出口で拡散・充満でき、かつ、内部浮き蓋が沈下した場合にも前記放出口から放出される高圧の不活性ガス又は泡消火薬剤水溶液によって前記引火性又は可燃性液体が吹き上げられるおそれのない、安全な引火性又は可燃性液体貯蔵タンクの防火・消火装置が提供できる。
【００１１】
〈２〉引火性又は可燃性の液体を貯蔵する浮き屋根式タンクの浮き屋根の上面に、前記浮き蓋上に漏出した引火性又は可燃性の液体に向けて不活性ガス又は泡消火薬剤水溶液を放出して防火・消火する金属製の短管でなる放出口を前記内部浮き蓋の穿孔内壁面に完全溶け込み溶接して一体化され、
前記放出口の直上部に、上方に凸なパラボリック状、円錐状、角錐状、或いは浅い有蓋円筒状の外周縁近くに複数の穿孔部を有する吹上防止・拡散板が、前記放出口となる短管の側面に上方に向けて固着された先端部にストッパーを有する複数の丸棒でなる吹上防止・拡散板支持棒に前記穿孔部を介して摺動可能に装着され、不活性ガス又は泡消火薬剤水溶液放出時に前記複数の吹上防止・拡散板支持棒の先端部のストッパーまで押し上げられるよう構成され、前記浮き屋根が傾斜しタンク内に沈下した際には前記放出口から放出された不活性ガス又は泡消火薬剤水溶液が貯蔵された引火性又は可燃性液体を吹き上げることなく引火性又は可燃性液体の液面上に浮上してタンク側板内面全周に向けて展開し、また前記浮き屋根が破損しその破損部から引火性又は可燃性液体が浮き屋根上に漏出した際にも、放出口から放出された不活性ガス又は泡消火薬剤水溶液が、浮き屋根の表面に沿ってタンク側板内面全周に向けて展開して引火性又は可燃性液体の発火防止と消火を可能にしているので、
不活性ガス又は泡消火薬剤水溶液を、浮き屋根上全面に、従来より少ない数の放出口で拡散させ充満させられ、かつ、浮き屋根が沈下した場合にも前記放出口から放出される高圧の不活性ガス又は泡消火薬剤水溶液によって前記引火性又は可燃性液体が吹き上げられてタンク外に飛散するおそれがなく、簡便な装置で安全な引火性又は可燃性の液体貯蔵タンクの防火・消火装置が提供できる。
【００１３】
〈３〉前記注入口がタンク側板のマンホールの蓋に設けられているので、タンク内への可撓管の設置が容易に行える。
〈４〉前記注入口が開閉弁を介して不活性ガス発生機構に接続されてなり、該開閉弁は常時には閉じられ、予め定められた震度以上の地震動を検知した際には即時に自動的に開かれて不活性ガスを注入口に供給するよう構成されているので、
従来、地震でタンク内部に異常が生じた場合に、注入口の取付フランジに注入ホースを接続するとともに、液体ガスを積載した圧力容器車両からの液体不活性ガスを減圧器でガス化して注入していたのと比べ、地震発生後即時に不活性ガスの注入が行え、きわめて早期に防火体制が採れ、火災発生の危険性の除去、もしくは火災発生時期の遅延が図れる。
【００１４】
〈５〉本発明の引火性又は可燃性液体貯蔵タンクの防火・消火方法が、前記「課題を解決するための手段」の（１）〜（４）のいずれか１項に記載された引火性又は可燃性液体貯蔵タンクの防火・消火設備を用いて、予め定めた強度以上の地震動を検知した際、即時に自動的に不活性ガスを注入口に供給し、前記可撓管、放出口、及び吹上防止・拡散板を介して内部浮き蓋又は浮き屋根上に、また内部浮き蓋又は浮き屋根が貯蔵された引火性又は可燃性液体内に沈下したときには、該引火性又は可燃性液体の液面上に不活性ガスを放出してなるものであるので、
地震発生等によって、内部浮き蓋付きタンク又は浮き屋根式タンク内に貯蔵された引火性又は可燃性液体の内部浮き蓋、又は浮き屋根上への漏出が懸念される場合に前記内部浮き蓋、又は浮き屋根上に不活性ガスを放出・充満させられ、また内部浮き蓋又は浮き屋根が貯蔵された引火性又は可燃性液体内に沈下したときには、該引火性又は可燃性液体の液面上に不活性ガスを放出して拡散させられ、引火性液体又は可燃性性液体への着火を予防し、また火災発生の遅延を図ることができる。
そして内部浮き蓋又は浮き屋根の破損、沈下によって火災が発生し、注入口に自動的に供給される不活性ガスでの鎮火が困難になったとき、或いはこれらのシステムが作動不良になったとき、前記注入口に化学消防車から泡消火薬剤水溶液を注入し、可撓管、放出口、及び吹上防止・拡散板を介して泡消火薬剤水溶液を炎上する引火性又は可燃性液体の液面上に放出して空気との接触を絶つて消火するが、その際、注入された不活性ガス又は泡消火薬剤水溶液の放出口からの吹き出し圧力が、前記吹上防止・拡散板によって四囲に拡散されるので、前記引火性又は可燃性液体のタンク外への飛散が防止され、周辺への延焼や消火作業者への人的被害等のおそれのない簡便で安全な引火性又は可燃性液体貯蔵タンクの防火・消火方法が提供できる。
【図面の簡単な説明】
【００１５】
【図１】本発明の防火・消火設備を備えた内部浮き蓋付きタンクの内部構造を示す一部切り欠き説明図
【図２】本発明の防火・消火設備を備えた内部浮き蓋付きタンクと消火機構との接続の一例を示す説明図
【図３】本発明の防火・消火設備を備えた内部浮き蓋付きタンクの内部浮き蓋沈下時の泡による消火状況を示す説明図
【図４】本発明の防火・消火設備を備えた浮き屋根式タンクの内部構造を示す一部切り欠き説明図
【図５】本発明の防火・消火設備を備えた浮き屋根式タンクと消火機構との接続の一例を示す説明図
【図６】本発明の防火・消火設備を備えた浮き屋根式きタンクの浮き屋根沈下時の泡による消火状況を示す説明図
【図７】吹上防止・拡散板の斜視図及び動作説明断面図
【図８】吹上防止・拡散板の他の構造を示す断面図
【発明を実施するための形態】
【００１６】
本発明の引火性又は可燃性液体貯蔵タンクの防火・消火設備、及び防火・消火方法について、実施例の図に基づいて説明する。
図１は本発明の防火・消火設備を備えた内部浮き蓋付きタンクの内部構造を示す一部切り欠き説明図、図２は本発明の防火・消火設備を備えた内部浮き蓋付きタンクと消火機構との接続の一例を示す説明図、図３は本発明の防火・消火設備を備えた内部浮き蓋付きタンクの内部浮き蓋沈下時の泡消火薬剤水溶液による消火状況を示す説明図、図４は本発明の防火・消火設備を備えた浮き屋根式タンクの内部構造を示す一部切り欠き説明図、図５は本発明の防火・消火設備を備えた浮き屋根式タンクと消火機構との接続の一例を示す説明図、図６は本発明の防火・消火設備を備えた浮き屋根式きタンクの浮き屋根沈下時の泡消火薬剤水溶液による消火状況を示す説明図、図７は吹上防止・拡散板の斜視図及び動作説明断面図、図８は吹上防止・拡散板の他の構造を示す断面図である。
図において１は本発明の防火・消火設備を備えた内部浮き蓋付きタンク、２は内部浮き蓋、３は放出口、４は注入口、５、５’は可撓管、６は吹上防止・拡散板、７は吹上防止・拡散板支持棒、８はストッパー、９はタンク側板、１０はマンホールの蓋であって、１１、１２、１３は開閉弁、１４は震度計、１５は不活性ガス発生機構、１６は泡消火薬剤水溶液供給機構、１７は泡消火薬剤水溶液供給機構用接続部を示す。
そして２１は本発明の防火・消火設備を備えた浮き屋根式タンク、２２は浮き屋根、２３は放出口、２４は注入口、２５は可撓管、２６は吹上防止・拡散板、２７は吹上防止・拡散板支持棒、２８はストッパー、２９はタンク側板、３０はマンホールの蓋であって、３１、３２、３３は開閉弁、３４は震度計、３５は不活性ガス発生機構、３６は泡消火薬剤水溶液供給機構、３７は泡消火薬剤水溶液供給機構用接続部を示す。
【実施例１】
【００１７】
本発明の防火・消火設備を備えた内部浮き蓋付きタンク１は、図１に示すように、
引火性又は可燃性の液体を貯蔵する内部浮き蓋付きタンク１の内部浮き蓋２の上面に、前記浮き蓋２上に漏出した引火性又は可燃性の液体に向けて不活性ガス又は泡消火薬剤水溶液を放出して防火・消火する放出口３を設け、また前記、内部浮き蓋付きタンク１の側板９に不活性ガス又は泡消火薬剤水溶液を注入する注入口４を設け、かつ、前記放出口３と注入口４とを可撓管５で接続してなり、前記放出口３の直上部に吹上防止・拡散板６を付設し、内部浮き蓋２が傾斜しタンク１内に沈下した際に、前記放出口３から放出された不活性ガス又は泡消火薬剤水溶液が、貯蔵された引火性又は可燃性液体を吹き上げることなくタンク液面に浮上し、タンク液面に沿ってタンク側板９内面全周に向けて展開して防火・消火し、また前記内部浮き蓋２が破損しその破損部から引火性または可燃性液体が内部浮き蓋上に漏出した際にも、放出口３から放出された不活性ガス又は泡消火薬剤水溶液が、内部浮き蓋２の表面に沿ってタンク側板９内面全周に向けて展開して防火・消火してなるよう構成されている。
そして前記吹上防止・拡散板６は、図７（ａ）の斜視図に示すように、放出口３を構成する短管の外側に溶着された丸棒でなる複数の吹上防止・拡散板支持棒７を緩挿する孔を有し、該吹上防止・拡散板支持棒７に摺動可能に支持されており、前記放出口３は平常時には前記吹上防止・拡散板６によって塞がれ[図７（ｂ）参照]雨水等の可撓管５内への流入が防止され、地震発生等の緊急時には注入口４から注入されれる高圧の不活性ガス又は泡消火薬剤水溶液によって前記吹上防止・拡散板６が前記複数の吹上防止・拡散板支持棒７の先端部に設けられたストッパー８まで押し上げられて放出口３が開口し[図７（ｃ）参照]、前記不活性ガス又は泡消火薬剤水溶液が放出される。
なお、上記の吹上防止・拡散板６の平常時の放出口３の封鎖を確実にするとともに、内部浮き蓋２の沈下の際、不活性ガス又は泡消火薬剤水溶液の放出停止時に、引火性又は可燃性液体が放出口から可撓管内に流入しないよう確実に放出口を塞ぐために、前記吹上防止・拡散板６とストッパー８との間の吹上防止・拡散板支持棒７にコイルバネ（図示せず）を緩挿しておくことも好ましい。
また、前記放出口３は、内部浮き蓋２にその上部を突出させて完全に溶け込み溶接してなる短管であり、前記注入口４はタンク側板９に設けられたマンホールの蓋１０に設けられている。
【００１８】
本実施例の内部浮き蓋付きタンク１は、図２に示すように、前記注入口４に開閉弁１１及び開閉弁１２を介して不活性ガス発生機構１５が常時接続され、かつ開閉弁１１と開閉弁１２との間に開閉弁１３を設けた分岐管によって随時泡消火薬剤水溶液供給機構１６が接続できるように泡消火薬剤水溶液供給機構用接続部１７が設けられることが好ましい。
前記開閉弁１１は、震度計１４が予め定められた強度以上の地震動を検知したときに開き、常時は閉じた状態で保持され、開閉弁１２は常時は開放状態にあり、消火手段を不活性ガスから泡消火薬剤水溶液に切り替える際に閉じるようになされている。これによって、不活性ガスは震度計１４が所定以上の振動を検知した際、即時に自動的に注入口４に注入され、可撓管５、放出口３を介して内部浮き蓋２上に放出され、前記内部浮き蓋２が沈下した場合をも含め、浮き蓋２上に漏出した引火性・可撓性液体の液面上に拡散して空気との接触を遮って発火を防止し、また発火したとしてもその初期消火に寄与でき、泡消火薬剤水溶液による本格的な消火活動に必要とされる泡消火薬剤の原液搬送車や化学消防車が現場に到着し、発泡器や消火栓等と接続されるまでの間不活性ガスの早期注入によって大事に到るのを抑制し、また、不活性ガスの自動注入によって、前記内部浮き蓋２が引火性又和可燃性液体の液面で揺れ動いているときから可撓管５内には不活性ガスが充満することとなり、前記内部浮き蓋２が引火性又は可燃性液体内に沈下しても、可撓管５内への引火性又は可燃性液体の流入が防止できるという効果も期待できる。
なお前記開閉弁１１は震度計等の不具合によって自動開閉が不能となる事態を考慮して、手動開閉を可能にしてなることは言うまでもない。
そして開閉弁１３は常時は閉止されており、泡消火薬剤水溶液供給機構１６が泡消火薬剤水溶液供給機構用接続部１７に接続し終えたとき、前記開閉弁１２を閉じるとともに開かれる。これによって泡消火薬剤水溶液供給機構１６からの泡消化薬剤水溶液が、震度計１４の所定強度以上の地震動の検知によって開かれた開閉弁１１を介して注入口４に注入され、可撓管５、放出口３を介して内部浮き蓋２上に放出され、前記吹上防止・拡散板６によって内部浮き蓋２上に拡散され、また、内部浮き蓋２が沈下したときには、図３に示すように、泡消火薬剤水溶液は、引火性又は可燃性液体内を浮上して液面上に達して液面上拡散して覆い鎮火に到らせる。この際吹上防止・拡散板６の存在によって放出口３から放出される泡消火薬剤水溶液の放出圧力は四囲に拡散され、貯蔵された引火性又は可燃性液体を吹き上げることなく、前記引火性又は可燃性液体がタンク外に飛散して近辺への延焼、消火活動をする人への人的被害も防止される。
【００１９】
本実施例の内部浮き蓋付きタンク１における防火・消火方法は次の手順で行われる。
ａ．震度計１４が予め定められた強度以上の地震動を検知して信号を発すると、その信号によってそれまで閉じられていた開閉弁１１が開かれる。
ｂ．開閉弁１１が開かれると、不活性ガス発生機構１５からの高圧な不活性ガスが注入口４に注入され、可撓管５を介して放出口３から、内部浮き蓋２上に放出される。
ｃ．内部浮き蓋２上に放出された不活性ガスは、吹上防止・拡散板６によって前記内部浮き蓋２上に拡散され、タンク気相部の酸素を限界酸素濃度以下にして引火性液体、又は可燃性液体への着火を防ぎ、また初期消火も行う。
ｄ．泡消火薬剤水溶液供給機構１６による本格的消火活動が可能となった時点で、前記開閉弁１２を閉じて前記不活性ガス発生機構との接続を解き、同時に開閉弁１３を開いて泡消火薬剤水溶液供給機構１６からの泡消火薬剤水溶液を注入口４に注入する。
ｅ．注入口４に注入された泡消火薬剤水溶液は、可撓管５、放出口３を介して内部浮き蓋２上に放出され、吹上防止・拡散板６の作用によって燃焼している引火性又は可燃性液体の液面を覆い、空気との接触を遮断して鎮火に到らせる。
【実施例２】
【００２０】
本発明の防火・消火設備を備えた浮き屋根式タンク２１は、図４に示すように、引火性又は可燃性の液体を貯蔵する浮き屋根式タンク２１の浮き屋根２２の上面に、前記浮き屋根２２の上に漏出した引火性又は可燃性の液体に向けて不活性ガス又は泡消火薬剤水溶液を放出して防火・消火する放出口２３を設け、また前記浮き屋根式タンク２１の側板２９に不活性ガス又は泡消火薬剤水溶液を注入する注入口２４を設け、かつ、前記放出口２３と注入口２４とを可撓管２５で接続してなり、前記放出口２３の直上部に吹上防止・拡散板２６を付設し、浮き屋根２２が傾斜しタンク２１内に沈下した際に、前記放出口２３から放出された不活性ガス又は泡消火薬剤水溶液が、貯蔵された引火性又は可燃性液体を吹き上げることなくタンク液面に浮上し、タンク液面に沿ってタンク側板２９内面全周に向けて展開して防火・消火し、また前記浮き屋根２２が破損しその破損部から引火性または可燃性液体が浮き屋根２２上に漏出した際にも、放出口２３から放出された不活性ガス又は泡消火薬剤水溶液が、浮き屋根２２の表面に沿ってタンク側板２９内面全周に向けて展開して防火・消火してなるよう構成されている。
そして前記吹上防止・拡散板２６は、図７（ａ）の斜視図に示すように、放出口２３を構成する短管の外側に溶着された丸棒でなる複数の吹上防止・拡散板支持棒７を緩挿する孔を有し、該吹上防止・拡散板支持棒７に摺動可能に支持されており、前記放出口２３は平常時には前記吹上防止・拡散板２６によって塞がれ[図７（ｂ）参照]雨水等の可撓管２５内への流入が防止され、地震発生等の緊急時には注入口２４から注入されれる高圧の不活性ガス又は泡消火薬剤水溶液によって前記吹上防止・拡散板２６が前記複数の吹上防止・拡散板支持棒２７の先端部に設けられたストッパー２８まで押し上げられて放出口２３が開口し[図７（ｃ）参照]、前記不活性ガス又は泡消火薬剤水溶液が放出される。
なお、上記の吹上防止・拡散板２６の平常時の放出口２３の封鎖を確実にするとともに、内部浮き屋根２２沈下の際、不活性ガス又は泡消火薬剤水溶液の放出停止時に、、引火性又は可燃性液体が放出口から可撓管内に流入しないよう確実に放出口を塞ぐために、前記吹上防止・拡散板２６とストッパー２８との間の吹上防止・拡散板支持棒２７にコイルバネ（図示せず）を緩挿しておくことも好ましい。
また、前記放出口２３は、浮き屋根２２にその上部を突出させて完全に溶け込み溶接してなる短管であり、前記注入口２４はタンク側板２９に設けられたマンホールの蓋３０に設けられている。
【００２１】
本実施例の浮き屋根式タンク２１は、図５に示すように、前記注入口２４には開閉弁３１及び開閉弁３２を介して不活性ガス発生機構３５が常時接続され、かつ、開閉弁３１と開閉弁３２との間に、開閉弁３３を設けた分岐管によって随時泡消火薬剤水溶液供給機構３６が接続できるように泡消火薬剤水溶液供給機構用接続部３７が設けらることが好ましい。
前記開閉弁３１は、震度計３４が予め定められた強度以上の地震動を検知したときに開き、常時は閉じた状態で保持され、開閉弁３２は常時は開放状態にあり、消火手段を不活性ガスから泡消火薬剤水溶液に切り替える際に閉じるようにされている。これによって、不活性ガスは震度計３４が所定以上の振動を検知した際、不活性ガスが即時に自動的に注入口２４に注入され、可撓管２５、放出口２３を介して浮き屋根２２上に放出され、前記浮き屋根２２が沈下した場合をも含め、浮き屋根２２上に漏出した引火性又は可燃性液体の液面上に放出されて空気との接触を遮って発火を予防し、又は発火したとしてもその初期消火に寄与でき、泡消火薬剤水溶液による本格的な消火活動に必要とされる泡消火薬剤の原液搬送車や化学消防車が現場に到着し、発泡器や消火栓等と接続されるまでの間不活性ガスがの早期注入によって大事に到るのを抑制し、また、不活性ガスの自動注入によって、前記浮き屋根２２が引火性又は可燃性液体の液面で揺れ動いているときから可撓管２５内には不活性ガスが充満していることとなり、前記浮き屋根２２が引火性又は可燃性液体内に沈下しても、可撓管２５内に引火性又は可燃性液体が流入するのを防止するという効果も期待できる。
なお前記開閉弁３１は震度計３４等の不具合によって自動開閉が不能となる事態を考慮して、手動開閉を可能にしてなることは言うまでもない。
そして開閉弁３３は常時は閉止されており、泡消火薬剤水溶液供給機構３６が泡消火薬剤水溶液供給機構用接続部３７に接続し終えたとき、前記開閉弁３２を閉じるとともに開かれる。これによって泡消火薬剤水溶液供給機構３６からの泡消化薬剤水溶液が、震度計３４の所定強度以上の地震動の検知によって開かれた開閉弁３１を介して注入口２４に注入され、可撓管２５、放出口２３を介して浮き屋根２２上に放出され、前記吹上防止・拡散板２６によって浮き屋根２２上に拡散され、また、浮き屋根２２が沈下したときには、図６に示すように、泡消火薬剤水溶液は、引火性又は可燃性液体内を浮上して液面上に達して液面上に拡散して覆い鎮火に到らせる。この際吹上防止・拡散板２６の存在によって放出口２３から放出される泡消火薬剤水溶液の放出圧力は四囲に拡散され、貯蔵された引火性又は可燃性液体を吹き上げることなく、前記引火性又は可燃性液体がタンク外に飛散して近辺への延焼、消火活動をする人への人的被害も防止される。
【００２２】
本実施例の浮き屋根式きタンク２１における防火・消火方法は次の手順で行われる。
ａ．震度計３４が予め定められた強度以上の地震動を検知して信号を発すると、その信号によってそれまで閉じられていた開閉弁３１が開かれる。
ｂ．開閉弁３１が開かれると、不活性ガス発生機構３５からの高圧な不活性ガスが注入口２４に注入され、可撓管２５を介して放出口２３から、浮き屋根２２上に放出される。
ｃ．浮き屋根２２上に放出された不活性ガスは、吹上防止・拡散板２６によって前記浮き屋根２２上に拡散され、前記地震動によって浮き屋根２２上に漏出した引火性液体、又は可燃性液体の表面を覆って該引火性又は可燃性液体への着火を防ぎ、また初期消火も行う。
なお、浮き屋根２２が沈下したときには、不活性ガスは前記引火性又は可燃性液体内を浮上して液面に達して液面上に拡散して覆い鎮火に到らせる。この際、吹上防止・拡散板２６の存在によって放出口２３から放出される泡消火薬剤水溶液の放出圧力は四囲に拡散されるので、貯蔵された引火性又は可燃性液体を吹き上げることなく、前記引火性又は可燃性液体が浮き屋根式タンク２１外に飛散して近辺への延焼、消火活動をする人への人的被害も防止される。
ｄ．泡消火薬剤水溶液供給機構３６による本格的消火活動が可能となった時点で、前記開閉弁３２を閉じて前記不活性ガス発生機構との接続を解き、同時に開閉弁３３を開いて泡消火薬剤水溶液供給機構３６からの泡消火薬剤水溶液を注入口２４に注入する。
ｅ．注入口２４に注入された泡消火薬剤水溶液は、可撓管２５、放出口２３を介して浮き屋根２２上に放出され、吹上防止・拡散板２６の作用によって燃焼している引火性液体、又は可燃性液体の液面を覆い、空気との接触を遮断して鎮火に到らせる。
なお、浮き屋根２２が沈下したときには、泡消火薬剤水溶液は前記引火性又は可燃性液体内を浮上して液面に達して液面上に拡散して覆い鎮火に到らせる。またこの際、吹上防止・拡散板２６の存在によって放出口２３から放出される泡消火薬剤水溶液の放出圧力は四囲に拡散されるので、貯蔵された引火性又は可燃性液体を吹き上げることなく、前記引火性又は可燃性液体がタンク外に飛散して近辺への延焼、消火活動をする人への人的被害も防止される。
【００２３】
本発明の引火性又は可燃性液体貯蔵タンクの防火・消火設備に具備された吹上防止・拡散板（６又は２６）として、実施例１、２においては、図７に示す上方に凸なパラボリック形状の円板体としたが、この形状に限定されるものでなく、ともに上方に凸な円錐状、角錐状、或いは浅い有底円筒状をなすもの等、放出口（３又は２３）から放出される不活性ガス又は泡消火薬剤水溶液によって貯蔵された引火性又は可燃性溶液が吹き上げられるのを防止し、かつ放出口（３又は２３）の周辺に広く拡散できる形状のものであればよい。その１例とした図８（ａ）に、浅い有底円筒状の吹上防止・拡散板を示した。
また、大型の内部浮き蓋付き貯蔵タンク１や浮き屋根式貯蔵タンク２１においては、内部浮き蓋２や浮き屋根２２の強度を確保するため上下ダブルデッキのものも使用されており、このダブルデッキのものにおいても本発明の防火・消火設備が使用できるので、その一例を図８（ｂ）に示した。なお、図８（ｂ）に見られるように  この場合には上下のデッキが地震等の揺れによってそれぞれ異なる挙動を起こすこと想定して、上下のデッキにそれぞれ短管を完全溶け込み溶接し、前記上下の短管の間を可撓管５’で接続して放出口（３又は２３）を構成している。
【符号の説明】
【００２４】
１：本発明の防火・消火設備を備えた内部浮き蓋付きタンク
２：内部浮き蓋
３：放出口
４：注入口
５：可撓管
６：吹上防止・拡散板
７：吹上防止・拡散板支持棒
８：ストッパー
９：タンク側板
１０：マンホールの蓋
１１、１２、１３：開閉弁
１４：震度計
１５：不活性ガス発生機構
１６：泡消火薬剤水溶液供給機構
１７：泡消火薬剤水溶液供給機構用接続部
２１：本発明の防火・消火設備を備えた浮き屋根式タンク
２２：浮き屋根
２３：放出口
２４：注入口
２５：可撓管
２６：吹上防止・拡散板
２７：吹上防止・拡散板支持棒
２８：ストッパー
２９：タンク側板
３０：マンホールの蓋
３１、３２、３３：開閉弁
３４：震度計
３５：不活性ガス発生機構
３６：泡消火薬剤水溶液供給機構
３７：泡消火薬剤水溶液供給機構用接続部
【図１】
0006470553.tif 000002
【図２】
0006470553.tif 000003
【図３】
0006470553.tif 000004
【図４】
0006470553.tif 000005
【図５】
0006470553.tif 000006
【図６】
0006470553.tif 000007
【図７】
0006470553.tif 000008
【図８】
0006470553.tif 000009